(57)【要約】【解決課題】地震が発生したとき、凝固液の液面変動を抑制し、凝固液が紡糸口金の下面と接触するのを防止できる乾湿式紡糸装置を提供する。【解決手段】凝固浴槽の内部にあって紡糸口金と対向するように設けた升状体を有し、升状体は、上端が凝固浴槽に収容される凝固液の液面と同一高さになるように設置される、紡糸口金の直径よりも大きい直径をもつ内壁と、この内壁よりも高い外壁とを有し、かつ、升状体の上方には、上端が内壁と外壁との間に位置し、下端が凝固浴槽に収容される凝固液に潜入するように設置される傾斜枠体を設けた。【選択図】　図１
2004052129.tif 000002
【特許請求の範囲】
【請求項１】
紡糸口金と、この紡糸口金の下方に設けた凝固浴槽と、この凝固浴槽の内部にあって紡糸口金と対向するように設けた升状体とを有し、升状体は、上端が凝固浴槽に収容される凝固液の液面と同一高さになるように設置される、紡糸口金の直径よりも大きい直径をもつ内壁と、この内壁よりも高い外壁とを有し、かつ、升状体の上方には、上端が内壁と外壁との間に位置し、下端が凝固浴槽に収容される凝固液に潜入するように設置される傾斜枠体を設けてなる乾湿式紡糸装置。
【請求項２】
内壁と外壁との間に連通する凝固液排出管を有する、請求項１に記載の乾湿式紡糸装置。
【発明の詳細な説明】
【０００１】
【発明の属する技術分野】
本発明は、合成繊維等の製造に用いる乾湿式紡糸装置に関する。
【０００２】
【従来の技術】
乾湿式紡糸装置は、よく知られているように、糸条を紡糸口金から気相を経て凝固浴槽中に紡出するものである。そのような乾湿式紡糸装置においては、紡糸口金と凝固浴槽に収容される凝固液の液面との間隙は、紡出するポリマーの種類等によっても異なるが、数ｍｍから十数ｍｍに設定されることが多い。たとえば、アクリル繊維を製造するための乾湿式紡糸装置においては、２〜１０ｍｍの範囲で設定されている。そのため、地震等で凝固液の液面が揺れると、凝固液が口金下面と接触し、糸切れが発生して停機を余儀なくされてしまう。一旦停機させると、紡糸口金の分解、清掃も含め、再度のスタートには多大の時間と人手がかかる。
【０００３】
かかる問題を解決する方法として、凝固浴槽を制振台上に設置することが考えられる。しかしながら、そのためには長期にわたる停機と高額な設備投資を必要とする。また、特開平１１−３５０２４５号公報は、凝固液に、紡糸口金を取り囲むように、凝固液よりも低比重の、たとえばボールを浮かべ、液面をボールで覆って液面変動を抑制することを提案している。しかしながら、液面が揺れるとボールが移動するので、抑制効果はそれほど大きくない。
【０００４】
【発明が解決しようとする課題】
本発明の目的は、上述した従来の装置の上記問題点を解決し、地震等が発生したときに凝固液の波立ちを抑制し、凝固液が紡糸口金の下面と接触するのを防止することができる乾湿式紡糸装置を提供するにある。
【０００５】
【課題を解決するための手段】
上記目的を達成するための本発明は、紡糸口金と、この紡糸口金の下方に設けた凝固浴槽と、この凝固浴槽の内部にあって紡糸口金と対向するように設けた升状体とを有し、升状体は、上端が凝固浴槽に収容される凝固液の液面と同一高さになるように設置される、紡糸口金の直径よりも大きい直径をもつ内壁と、この内壁よりも高い外壁とを有し、かつ、升状体の上方には、上端が内壁と外壁との間に位置し、下端が凝固浴槽に収容される凝固液に潜入するように設置される傾斜枠体を設けてなる乾湿式紡糸装置を特徴とするものである。升状体には、内壁と外壁との間に連通する凝固液排出管を設けておく。
【０００６】
【発明の実施の形態】
図１において、本発明の乾湿式紡糸装置は、紡糸口金１と、この紡糸口金１の下方に設けた凝固浴槽２と、この凝固浴槽の内部にあって紡糸口金と対向するように設けた升状体３とを有する。凝固浴槽２には凝固液供給管７から凝固液４が供給され、供給された凝固液４は、図示するようにオーバーフロー堤５、６からオーバーフローし、常時一定の液面に保たれるようになっている。紡糸口金１の下面と凝固液４の液面との距離は、紡出される糸条の種類等にもよるが、２〜１０ｍｍ程度になるようにされており、紡糸口金１から紡出される糸条８は、紡糸口金１の下面と凝固液４の液面との間に形成される気相を経て凝固液４中に至り、凝固され多後ガイドロール９を経て凝固浴槽２外へと導かれる。なお、糸条８は凝固浴槽２内で延伸される場合もある。
【０００７】
升状体３は、上端が凝固浴槽２に収容される凝固液４の液面と同一高さになるように設置される、紡糸口金１の直径よりも大きい直径をもつ内壁１０と、この内壁１０よりも高い外壁１１とを有する二重筒構造をしている。また、升状体３の上方には、上端が内壁１０と外壁１１との間に位置し、下端が凝固浴槽２に収容される凝固液４に潜入するように設置される傾斜枠体１２を有している。この傾斜枠体１２は、上方に向かって拡がった、無底の皿状をしており、この拡がりによって形成される斜面を有する。さらに、升状体３は、内壁１０と外壁１１との間に連通する凝固液排出管１３を有している。
【０００８】
さて、このような構成の乾湿式紡糸装置において、地震等が発生し、凝固液４の液面が波立つと、凝固液４は、図示するように、傾斜枠体１２の斜面に導かれて内壁１０と外壁１１間に流入し、凝固液排出管１３から槽外に排出される。このとき、傾斜枠体１２の斜面のおかげで、波立った凝固液４が斜面で反射して元に戻されるようなことはない。そのため、内壁１０内の液面は極めて平穏で、凝固液４が紡糸口金１の下面と接触するのが防止される。
【０００９】
この例においては、斜面が上方に向かって単調に拡がっているが、高次関数の斜面を形成するように拡がっていてもよい。また、斜面の傾斜をどの程度にするかは、想定する地震等の大きさ、すなわち、想定される波の高さにもよる。たとえば、震度２の地震では、波高３ｍｍ程度の波ができる。この程度の波が発生しても凝固液が防止口金の下面と接触しないようにするためには、傾斜角度は１０〜２０°程度がよい。傾斜角度が垂直に近づけば近づくほど、波が壁面で反射されることになって波消し効果が薄れてくる。
【００１０】
【発明の効果】
本発明の乾湿式紡糸装置は、凝固浴槽の内部にあって紡糸口金と対向するように設けた升状体を有し、升状体は、上端が凝固浴槽に収容される凝固液の液面と同一高さになるように設置される、紡糸口金の直径よりも大きい直径をもつ内壁と、この内壁よりも高い外壁とを有し、かつ、升状体の上方には、上端が内壁と外壁との間に位置し、下端が凝固浴槽に収容される凝固液に潜入するように設置される傾斜枠体を設けているので、地震等が発生し、凝固液の液面が波立ったとき、凝固液が傾斜枠体の斜面に導かれて内壁と外壁間に流入する。すなわち、波が傾斜枠体の斜面で吸収される。そのため、内壁内の液面は極めて平穏で、凝固液が紡糸口金の下面と接触するのを防止することができ、接触に伴う紡出糸条の糸切れや、糸切れによる停機、さらには停機による紡糸口金の分解、清掃も含め、再度のスタートに多大の時間と人手がかかるといった不都合を防止することができる。
【図面の簡単な説明】
【図１】本発明の一実施形態に係る乾湿式紡糸装置の概略正面図である。
【符号の説明】
１：紡糸口金
２：凝固浴槽
３：升状体
４：凝固液
５：オーバーフロー堤
６：オーバーフロー堤
７：凝固液供給管
８：糸条
９：ガイドロール
１０：内壁
１１：外壁
１２：傾斜枠体
【図１】
2004052129.tif 000003